(57)【要約】【課題】長尺のＬＥＤ照明を分割することなく、安価に製作することを可能とし、照明効率の向上を図った照明装置を備えた自動販売機を提供する。【解決手段】自動販売機用の照明装置１は、両面に複数の発光素子６１を実装した回路基板７０を内部に保持するパイプ部材１０と、自動販売機に設けられた蛍光灯ソケット部に接続される口金２０，３０と、パイプ部材１０と口金２０，３０とを接続するジョイント部材４０，５０とを有している。蛍光灯ソケット部に対する取付形態に応じて口金２０，３０とジョイント部材４０，５０との相対的角度を位置決めする。回路基板７０の両面に実装した複数の発光素子６１を自動販売機に対して傾斜して配設することができる。【選択図】図１
2010211289.tif 000002
【特許請求の範囲】
【請求項１】
展示用物品を展示するための内部空間を有し、前記展示用物品に対応する販売用物品を払い出すための物品払出機構を内蔵する販売機本体と、
前記販売機本体の内部空間に設けられた蛍光灯ソケット部に着脱自在に装着され、前記展示用物品を照明する照明装置とを備え、
前記照明装置は、
複数の発光素子と、
第１の面及び第２の面のそれぞれに複数個の前記発光素子を実装するとともに、前記複数の発光素子を点灯するための配線パターンが形成された回路基板と、
内部に前記複数の発光素子と前記回路基板を保持する光透過性管状部材とを有し、
前記販売機本体に対して前記回路基板の前記発光素子を所定の角度で配設したことを特徴とする自動販売機。
【請求項２】
前記光透過性管状部材の両側端部に取り付けられ前記蛍光灯ソケット部に接続される第１及び第２の口金と、
前記光透過性管状部材及び前記口金を接続する第１及び第２のジョイント部材と、
前記蛍光灯ソケット部に対する取付角度に応じて前記口金と前記ジョイント部材との相対的角度を位置決めする位置決め手段とを有していることを特徴とする請求項１記載の自動販売機。
【請求項３】
前記口金及び前記ジョイント部材のいずれか一方に、前記蛍光灯ソケット部に接続される一対の電極端子を有し、前記一対の電極端子が絶縁的に支持されていることを特徴とする請求項２記載の自動販売機。
【請求項４】
前記位置決め手段は、前記ジョイント部材に係止凸部又は係止凹部を有し、前記口金に前記係止凸部又は係止凹部と係着する係止凹部又は係止凸部を有していることを特徴とする請求項２記載の自動販売機。
【請求項５】
前記光透過性管状部材の内部は、長手方向に沿って平行に延びる一対の係合受部を有し、前記一対の係合受部に前記回路基板の長手方向の両端部を係合支持したことを特徴とする請求項１記載の自動販売機。
【請求項６】
前記発光素子は、前記回路基板の長手方向の中心線に対して、前記回路基板の前記第１の面及び前記第２の面に線対称に配置されていることを特徴とする請求項１に記載の自動販売機。
【請求項７】
前記発光素子は、発光ダイオードであることを特徴とする請求項１又は６記載の自動販売機。
【請求項８】
上記請求項１〜７のいずれかに記載の自動販売機に内蔵されて所定の周波数の高周波電圧を発生するインバータを備え、
前記照明装置は、
前記インバータのコンデンサに直列に接続されたコンデンサと、
前記インバータのコンデンサと並列に接続されたインダクタンスによって形成され、前記インバータから前記電源端子を介して入力した高周波電圧を所定の比によって増減して前記発光素子の駆動電圧とする共振回路と、
前記駆動電圧を前記発光素子に印加する直流電圧に変換する整流回路とを含むことを特徴とする自動販売機。
【請求項９】
前記コンデンサ、前記共振回路、及び前記整流回路は、前記光透過性管状部材の中に封入されており、前記回路基板に実装されていることを特徴とする請求項８記載の自動販売機。
【請求項１０】
前記電源端子は、前記インバータの前記高周波電圧を出力する一対の出力端子に接続された第１及び第２の出力端子と、前記インバータのコンデンサの両端子に接続された第３及び第４の出力端子を備え、
前記電源端子の前記第１及び第３の出力端子は、前記電源端子の前記第２及び第４の出力端子と対応関係を特定することなく接続可能であり、
前記電源端子の前記第２及び第４の出力端子は、前記電源端子の前記第１及び第３の出力端子と対応関係を特定することなく接続可能であることを特徴とする請求項８記載の自動販売機。
【発明の詳細な説明】
【技術分野】
【０００１】
本発明は、照明装置を備えた自動販売機に係わり、特に、缶飲料等の展示用物品を発光素子により照明する照明装置を備えた自動販売機に関する。
【背景技術】
【０００２】
近年、照明装置としては、蛍光灯に代えてＬＥＤ等の発光素子を用いたものが利用されるようになってきている。この種の発光素子を用いた照明装置の一例としては、例えば断面がコ字状をなす長尺な取付ベースと、この取付ベースの上部に嵌合される蓋部とを有しており、この蓋部の内部に絶縁板を介して多数個のＬＥＤが実装された基板を配設した構成の照明装置がある（例えば、特許文献１参照。）。
【先行技術文献】
【特許文献】
【０００３】
上記特許文献１に記載された従来の照明装置は、取付ベースの終端部にＬＥＤ電力供給配線用の電極端子、あるいはジョイントに具備された電気接続部を配設しており、必要に応じて、取付ベースの電極端子同士、あるいはジョイントの電気接続部同士を接続することで多数個の照明装置を直列に連結して配置できる構成とされている。
【特許文献１】特開２００５−１９２９９号公報
【発明の概要】
【発明が解決しようとする課題】
【０００４】
ところで、缶飲料等の自動販売機としては、缶飲料等の展示用物品の個数、配列間隔や配列位置などが異なる各種の自動販売機がある。このような自動販売機における販売用物品のサンプル等を照明する照明装置に上記従来の照明装置を使用しようとすると、３次元的に複雑な形状を有する取付ベース及び蓋部の長さ寸法や奥行き寸法などを展示用物品の個数や配列間隔などに対応させて多種多様に設計製作する必要がある。しかも、取付ベース及び蓋部の長さ寸法や奥行き寸法などが長くなるに伴い取付ベース及び蓋部を成型するための金型が大型化となり、金型製作期間が長くなる。それに加えて、取付ベース及び蓋部の長さや形状が変わる度に専用の金型を必要とするので、金型費を含む生産コストが高騰するという問題点を有している。
【０００５】
従って、本発明は上記従来の課題を解決すべくなされたものであり、その具体的な目的は、長尺のＬＥＤ照明を分割することなく、安価に製作することを可能とし、照明効率の向上を図った照明装置を備えた自動販売機を提供することにある。
【課題を解決するための手段】
【０００６】
［１］本発明は、上記目的を達成するため、展示用物品を展示するための内部空間を有し、前記展示用物品に対応する販売用物品を払い出すための物品払出機構を内蔵する販売機本体と、前記販売機本体の内部空間に設けられた蛍光灯ソケット部に着脱自在に装着され、前記展示用物品を照明する照明装置とを備え、前記照明装置は、複数の発光素子と、第１の面及び第２の面のそれぞれに複数個の前記発光素子を実装するとともに、前記複数の発光素子を点灯するための配線パターンが形成された回路基板と、内部に前記複数の発光素子と前記回路基板を保持する光透過性管状部材とを有し、前記販売機本体に対して前記回路基板の前記発光素子を所定の角度で配設したことを特徴とする自動販売機にある。
［２］上記［１］記載の発明にあって、前記光透過性管状部材の両側端部に取り付けられ前記蛍光灯ソケット部に接続される第１及び第２の口金と、前記光透過性管状部材及び前記口金を接続する第１及び第２のジョイント部材と、前記蛍光灯ソケット部に対する取付角度に応じて前記口金と前記ジョイント部材との相対的角度を位置決めする位置決め手段とを有していることを特徴としている。
［３］上記［２］記載の発明にあって、前記口金及び前記ジョイント部材のいずれか一方に、前記蛍光灯ソケット部に接続される一対の電極端子を有し、前記一対の電極端子が絶縁的に支持されていることを特徴としている。
［４］上記［２］記載の発明にあって、前記位置決め手段は、前記ジョイント部材に係止凸部又は係止凹部を有し、前記口金に前記係止凸部又は係止凹部と係着する係止凹部又は係止凸部を有していることを特徴としている。
［５］上記［２］記載の発明にあって、前記光透過性管状部材の内部は、長手方向に沿って平行に延びる一対の係合受部を有し、前記一対の係合受部に前記回路基板の長手方向の両端部を係合支持したことを特徴としている。
［６］上記［１］記載の発明にあって、前記発光素子は、前記回路基板の長手方向の中心線に対して、前記回路基板の前記第１の面及び前記第２の面に線対称に配置されていることを特徴としている。
［７］上記［１］又は［６］記載の発明にあって、前記発光素子は、発光ダイオードであることを特徴としている。
［８］上記［１］〜［７］のいずれかに記載の自動販売機に内蔵されて所定の周波数の高周波電圧を発生するインバータを備え、前記照明装置は、前記インバータのコンデンサに直列に接続されたコンデンサと、前記インバータのコンデンサと並列に接続されたインダクタンスによって形成され、前記インバータから前記電源端子を介して入力した高周波電圧を所定の比によって増減して前記発光素子の駆動電圧とする共振回路と、前記駆動電圧を前記発光素子に印加する直流電圧に変換する整流回路とを含むことを特徴としている。
［９］上記［８］記載の発明にあって、前記コンデンサ、前記共振回路、及び前記整流回路は、前記光透過性管状部材の中に封入されており、前記回路基板に実装されていることを特徴としている。
［１０］上記［８］記載の発明にあって、前記電源端子は、前記インバータの前記高周波電圧を出力する一対の出力端子に接続された第１及び第２の出力端子と、前記インバータのコンデンサの両端子に接続された第３及び第４の出力端子を備え、前記電源端子の前記第１及び第３の出力端子は、前記電源端子の前記第２及び第４の出力端子と対応関係を特定することなく接続可能であり、前記電源端子の前記第２及び第４の出力端子は、前記電源端子の前記第１及び第３の出力端子と対応関係を特定することなく接続可能であることを特徴としている。
【発明の効果】
【０００７】
本発明は、長尺のＬＥＤ照明を分割することなく、簡単にかつ安価に製作することができるとともに、照明効率の高い照明装置を備えた自動販売機を効果的に得ることができる。
【図面の簡単な説明】
【０００８】
【図１】蛍光灯型ＬＥＤランプの一部切欠分解斜視図である（第１の実施の形態）。
【図２Ａ】（ａ）は蛍光灯型ＬＥＤランプを基板表面側からみた平面図、（ｂ）は基板裏面側からみた平面図である。
【図２Ｂ】（ｃ）は図２Ａ（ａ）のＩＩＣ−ＩＩＣ線矢視断面拡大図であり、（ｄ）は蛍光灯型ＬＥＤランプに用いられる口金及びジョイント部材の関係を説明するための図である（第１の実施の形態）。
【図３】（ａ）及び（ｂ）は自動販売機の照明装置に取り付けられる蛍光灯型ＬＥＤランプの長さを説明するための図である（第１の実施の形態）。
【図４】蛍光灯型ＬＥＤランプが自動販売機のインバータ式照明装置に取り付けられた場合の一構成例を模式的に示す回路図である（第２の実施の形態）。
【図５】蛍光灯型ＬＥＤランプを備えた自動販売機の全体を示す正面図である（第３の実施の形態）。
【図６】蛍光灯型ＬＥＤランプを備えた自動販売機の全体を示すブロック図である（第３の実施の形態）。
【図７Ａ】（ａ）は展示スペースの一部分を前面側からみた正面図であり、（ｂ）は展示スペースを右側面からみた断面図である（第３の実施の形態）。
【図７Ｂ】（ｃ）は図７Ａ（ｂ）の押釦部分を示す拡大断面図である（第３の実施の形態）。
【図８】蛍光灯型ＬＥＤランプから照射されるＬＥＤ光のＬＥＤ指向特性を説明するために展示スペースの右側方向からみた断面図である（第３の実施の形態）。
【図９】蛍光灯型ＬＥＤランプから照射されるＬＥＤ光のＬＥＤ指向特性を説明するための自動販売機の正面図である（第３の実施の形態）。
【発明を実施するための形態】
【０００９】
以下、本発明の好適な実施の形態を添付図面に基づいて具体的に説明する。
【００１０】
［第１の実施の形態］
（照明装置の全体構成）
図１及び図２において、符号１は蛍光灯型ＬＥＤランプ（以下、ＬＥＤ照明灯という。）の一構成例を模式的に示している。このＬＥＤ照明灯１の基本構成は、円筒パイプからなるパイプ部材１０と、パイプ部材１０の両端を閉蓋するキャップ状の第１及び第２の口金２０，３０と、パイプ部材１０及び口金２０，３０を連結固定する円筒状の第１及び第２のジョイント部材４０，５０と、複数の発光素子であるＬＥＤ素子（以下、ＬＥＤともいう。）６１，…，６１を直列接続したＬＥＤモジュール６０を実装するための図示しない配線パターンが形成された回路基板７０とにより主に構成されている。ＬＥＤモジュール６０は回路基板７０の両面に備えられている。回路基板７０はパイプ部材１０の内部に収容されている。
【００１１】
（パイプ部材の構成）
ＬＥＤ照明灯１のパイプ部材１０は、例えばアクリル樹脂あるいはポリカーボネート樹脂などの光透過性管状部材からなる。パイプ部材１０は、押出成形により形成されており、既存の直管蛍光灯とほぼ同一の大きさ、寸法、及び外郭形態を有している。パイプ部材１０は、内周面から径方向に突出し、内周面の長手方向に沿って平行に延びる一対の係合受部である凹部１１が形成されている。この凹部１１には回路基板７０が係合支持されている。図示例によれば、パイプ部材１０の凹部１１は、内周面の長手方向に沿って延びるレール状の凹凸部となっているが、これに限定されるものではなく、例えばパイプ部材１０の内周面から径方向に窪んでおり、内周面の長手方向に沿って延びる溝状に凹設してもよい。
【００１２】
（口金の構成）
ＬＥＤ照明灯１の第１及び第２の口金２０，３０は同一構造を有している。口金２０，３０の材質としては、例えばアルミニウム又はアルミニウム合金などの材料が好適である。この口金２０，３０のそれぞれは、ＬＥＤモジュール６０を自動販売機のインバータに接続させるための２本一対の第１〜第４の電源端子（以下、端子ピンという。）２１，２２，３１，３２をベークライトにより絶縁的に支持している。これらの端子ピン２１，２２，３１，３２の突出端は自動販売機のインバータに電気的に接続される。端子ピン２１，２２，３１，３２の突出端とは反対側の他端は、端子ピン２１，２２，３１，３２に接続された２本一対のリード線２４，２４，３４，３４を介してＬＥＤモジュール６０と接続されている。口金２０，３０には内周面から径方向に突出する一対の係止凸部２３，２３，３３，３３が対向して形成されている。
【００１３】
（ジョイント部材の構成）
ＬＥＤ照明灯１の第１及び第２のジョイント部材４０，５０は同一構造を有している。ジョイント部材４０，５０の材質は、例えばポリブチレンテレフタレート樹脂あるいはポリカーボネートからなる。このジョイント部材４０，５０の外周面には円環状の当接リブ４１，５１が突設されており、その当接リブ４１，５１を挟んで基端側筒部４２，５２と口金側筒部４３，５３とが形成されている。基端側筒部４２，５２はパイプ部材１０の一端側の内周端面に接着剤により接着されている。一方の口金側筒部４３，５３は口金２０，３０の内周端面に接着剤により接着されている。
【００１４】
基端側筒部４２，５２と口金側筒部４３，５３とは、内部に形成された円盤状の隔壁４４，５４により区画されている。基端側筒部４２，５２は基板端部収容部とされており、口金側筒部４３，５３はリード線収容部とされている。その隔壁４４には８つのリード線挿通孔４４ａが周方向に所定の位相差をもって貫通して形成されている。第２のジョイント部材５０の隔壁５４にも、第１のジョイント部材４０と同様に、８つのリード線挿通孔が周方向に所定の位相差をもって貫通して形成されている。
【００１５】
このジョイント部材４０，５０の口金側筒部４３，５３の外周面には、口金２０，３０の係止凸部２３，３３と係着する係止凹部４５，５５を有している。図示例によれば、ジョイント部材４０，５０は８つの係止凹部４４ａ〜４４ｈ，５４ａ〜５４ｈを有しており、周方向に４５度の位相差をもって形成されている。一方の基端側筒部４２，５２には、左右対称の一対の脚部を有する矩形板状のブラケット４６，４６，５６，５６が延設されている。そのブラケット４６，５６には、パイプ部材１０の凹部１１に挿入固定する一対の取付リブ４７，４７，５７，５７が長手方向に突設されるとともに、回路基板７０の一対の当接面部７３，７３に当接するスリット状の一対の嵌合切欠部４８，４８，５８，５８が取付リブ４７，５７と同一直線上に切り欠き形成されている。回路基板７０の当接面部７３とジョイント部材４０，５０の嵌合切欠部４８，５８とにより回路基板７０がパイプ部材１０の長手方向に位置ズレするのを防止することができるように構成されている。
【００１６】
（位置決め手段の構成）
ＬＥＤ照明灯１は、販売機本体における蛍光灯ソケット部に装着して使用される。口金２０，３０の係止凸部２３，２３，３３，３３とジョイント部材４０，５０の係止凹部４５ａ〜４５ｈ，５５ａ〜５５ｈとは、販売機本体の蛍光灯ソケット部の一対のピン穴が水平方向、垂直方向又は４５度の角度をなす方向に並設した取付形態である何れの場合においても、回路基板７０に実装されたＬＥＤモジュール６０を所定の傾斜角度θをもって取り付けることができるように口金２０，３０とジョイント部材４０，５０との相対的角度を位置決めする位置決め手段として構成されている。
【００１７】
ＬＥＤ照明灯１は、例えば口金２０，３０の端子ピン２１，２２，３１，３２を回転させることなく、蛍光灯器具の押し込み型ソケット部の一対のピン穴に水平、垂直又は４５度に装着する場合と、口金２０，３０の端子ピン２１，２２，３１，３２を９０度回転することで蛍光灯器具の回し込み型ソケット部の一対のピン穴に装着する場合などがある。
【００１８】
押し込み型ソケット部の一対のピン穴に水平に装着する場合は、図２Ｂ（ｄ）に示すように、ジョイント部材４０，５０の係止凹部４５ａ〜４５ｈ，５５ａ〜５５ｈのうち、係止凹部４５ａ，４５ｅ，５５ａ，５５ｅに口金２０，３０の係止凸部２３，２３，３３，３３を接着剤により接着して口金２０，３０とジョイント部材４０，５０との相対的角度を設定しておくことで、自動販売機の正面に向けてＬＥＤ照明灯１の照射面の傾斜角度θが３０度となるように取り付けることができる。押し込み型ソケット部の一対のピン穴に垂直に装着する場合は、係止凹部４５ｃ，４５ｇ，５５ｃ，５５ｇに口金２０，３０の係止凸部２３，２３，３３，３３を接着剤により接着して口金２０，３０とジョイント部材４０，５０との相対的角度を設定しておくことで、自動販売機の正面に向けてＬＥＤ照明灯１の照射面の傾斜角度θが３０度となるように取り付けることができる。
【００１９】
押し込み型ソケット部の一対のピン穴に４５度で装着する場合は、図２Ｂ（ｄ）に示すように、ジョイント部材４０，５０の係止凹部４５ｄ，４５ｈ，５５ｄ，５５ｈに口金２０，３０の係止凸部２３，２３，３３，３３を接着剤により接着して口金２０，３０とジョイント部材４０，５０との相対的角度を設定しておくことで、自動販売機の正面に向けてＬＥＤ照明灯１の照射面の傾斜角度θが３０度となるように取り付けることができる。なお、口金２０，３０の端子ピン２１，２２，３１，３２を９０度右回り回転、あるいは９０度左回り回転する回し込み型ソケット部などの場合にあっても、係止凸部２３，２３，３３，３３と係止凹部４５ａ〜４５ｈ，５５ａ〜５５ｈとの相対的角度を適宜設定しておけばよい。
【００２０】
上記のように構成された位置決め手段によれば、ジョイント部材４０，５０の係止凹部４５ａ〜４５ｈ，５５ａ〜５５ｈと口金２０，３０の係止凸部２３，２３，３３，３３との相対的角度を簡単に位置決めしておくことができる。これにより、販売機本体における蛍光灯ソケット部の一対のピン穴の取付形態に応じてＬＥＤ照明灯１のＬＥＤ照射を販売機本体の正面方向及び背面方向に簡単に合わせることができるようになる。位置決め手段としては、係止凸部２３，３３と係止凹部４５ａ〜４５ｈ，５５ａ〜５５ｈとの嵌合による連結に限定されるものではなく、他の連結構造とすることもできることは勿論である。
【００２１】
（回路基板の構成）
ＬＥＤ照明灯１の回路基板７０は、図１及び図２に示すように、３本のリード線７４を介して電気的に接続された２枚の第１及び第２の回路基板７１，７２からなる。回路基板７０の材質としては、例えばガラス基材（例えば、ＦＲ−４等）又はエポキシ系・ポリエステル系コンポジット基材（例えば、ＣＥＭ−３等）の材料が挙げられる。回路基板７１，７２の第１の面７１ａ，７２ａ及び第２の面７１ｂ，７２ｂの両面には複数個のＬＥＤ素子６１が実装されている。回路基板７１，７２の口金側対向端部は、左右対称の当接面部７３，７３を介して幅狭に形成された第１及び第２の基板端部を有している。その基板端部は、第１及び第２のジョイント部材４０，５０における基端側筒部４２，５２の基板端部収容部内に差し込まれている。
【００２２】
第１の回路基板７１の口金側対向端部には、第１のコンデンサＣ１と、第１及び第２のインダクタンス（以下、第１及び第２のコイルという。）Ｌ１，Ｌ２と、第１の整流回路７５を構成する整流ダイオード７５ａ〜７５ｄとを有する第１の回路部が備えられている。一方の第２の回路基板７２の口金側対向端部には、第１及び第２のヒューズ７７ａ，７７ｂと、第２のコンデンサＣ２と、第２の整流回路７６を構成する整流ダイオード７６ａ〜７６ｄとを有する第２の回路部が備えられている。これらの実装部品を介して２枚の回路基板７１，７２の両面に直列に実装されたＬＥＤモジュール６０が電気的に接続されている。なお、第１及び第２のコイルの代わりに抵抗を使用してもよい。
【００２３】
図示例にあっては、第１の回路基板７１の第１の面７１ａには、８個のＬＥＤ素子６１と、第１のコイルＬ１と、第１のコンデンサＣ１と、第１の整流回路７５のうち３個の整流ダイオード７５ａ〜７５ｃとが実装されている。第１の回路基板７１の第２の面７１ｂには、８個のＬＥＤ素子６１と、第２のコイルＬ２と、第１の整流回路７５のうち残りの１個の整流ダイオード７５ｄとが実装されている。一方の第２の回路基板７２の第１の面７２ａには、７個のＬＥＤ素子６１と、第１及び第２のヒューズ７７ａ，７７ｂと、第２のコンデンサＣ２と、第２の整流回路７６のうち２個の整流ダイオード７６ａ，７６ｂとが実装されている。第２の回路基板７２の第２の面７２ｂには、７個のＬＥＤ素子６１と、第２の整流回路７６のうち残りの２個の整流ダイオード７６ｃ，７６ｄとが実装されている。
【００２４】
（ＬＥＤモジュールの構成）
回路基板７０の第１の面７１ａ，７２ａには、例えば照明対象である自動販売機の展示用物品の配置数に対応した数のＬＥＤ素子６１が実装される。そのＬＥＤ素子６１の配置個数は必要な明るさや照明効果などを考慮して設定される。ＬＥＤ素子６１の配置個数は、図示例に限定されるものではなく、ＬＥＤ素子６１の配置個数を任意に設定することができることは勿論である。
【００２５】
回路基板７０の第２の面７１ｂ，７２ｂには、第１の面７１ａ，７２ａに装着されたＬＥＤ素子６１とは逆方向を照明するようにＬＥＤ素子６１が装着される。ＬＥＤ素子６１の配置個数は、照明対象である自動販売機の背面パネルに対して必要な明るさや照明効果などを考慮して設定される。回路基板７０の第２の面７１ｂ，７２ｂに配置されるＬＥＤ素子６１の配置個数にあっても、図示例に限定されるものではなく、ＬＥＤ素子６１の配置個数を任意に設定することができる。
【００２６】
この第１の実施の形態では、ＬＥＤ照明灯１として広視野角のチップタイプのＬＥＤ素子６１が使用されているが、図示例に限定されるものではない。ＬＥＤ素子６１の他の一例としては、例えば青色ＬＥＤを蛍光体により波長変換して白色を発光可能に構成されていてもよく、それぞれ互いに異なる色光を発する３種類の赤色ＬＥＤ素子、緑色ＬＥＤ素子及び青色ＬＥＤ素子を有するＬＥＤ素子からなっていてもよい。ＬＥＤ素子６１の更に他の一例としては、例えば赤色光、緑色光あるいは青色光のいずれかの単色光のうち、２種類の単色光を混合して組み合わせた色光を、あるいは３種類の単色光を混合して組み合わせた白色光をそれぞれ発光可能に構成したＬＥＤ素子を使用することができる。
【００２７】
図示例にあっては、２枚の回路基板７１，７２からなる回路基板７０に複数個のＬＥＤ素子６１を直列接続した構成を例示したが、これに限定されるものではない。回路基板７０としては、例えば１枚の回路基板、あるいは３枚以上の回路基板を直列接続した構成であってもよく、複数個のＬＥＤ素子６１を並列接続した構成であってもよい。
【００２８】
図示例にあっては、口金２０，３０に端子ピン２１，２２，３１，３２を突設した構成を例示したが、これに限定されるものではなく、例えば端子ピン２１，２２，３１，３２をジョイント部材４０，５０に突設した構成であってもよい。端子ピン２１，２２，３１，３２としては、例えばインサート成形したり、ピン挿通孔に圧入固定したり、あるいは螺合固定したりすることで突設すればよい。
【００２９】
上記のように構成されたＬＥＤ照明灯１は、図３に示すように、ＬＥＤ照明灯１の長さ寸法Ａ１，Ａ２に応じてパイプ部材１０を押出成形により成形される。ＬＥＤ照明灯１の長さ寸法Ａとしては、例えば５８０ｍｍ、６３０ｍｍ、８３０ｍｍ及び１０００ｍｍがある。図示例では、長さ寸法Ａ１が１０００ｍｍであるＬＥＤ照明灯１、及び長さ寸法Ａ２が５８０ｍｍであるＬＥＤ照明灯１が例示されている。ＬＥＤ照明の照射面となるパイプ部材１０を押出成形により成形することで、従来のごとく長尺のＬＥＤ照明を分割して成形する必要がなくなり、ＬＥＤ照明灯１を簡単かつ安価に製作することができるようになる。
【００３０】
（第１の実施の形態の効果）
この第１の実施の形態に係るＬＥＤ照明灯１によると、次の効果が得られる。
（１）ＬＥＤ照明灯１のＬＥＤ照射面となるパイプ部材１０を押出成形により成形することができるので、ＬＥＤ照明灯１の長さ寸法が長い場合でも、パイプ部材１０を分割して成形する必要がなくなり、必要とするＬＥＤ照明灯１の長さに応じてＬＥＤ照明灯１を簡単かつ安価に製作することができるようになる。それに加えて、金型装置の複雑化や大型化を招くことなく、部材費や材料費等を低減することができるとともに、金型費を含む成形加工費が大幅に低減可能となる。
（２）口金２０，３０とジョイント部材４０，５０との相対的角度を位置決めすることにより、既存の蛍光灯器具（インバータ式照明装置）における蛍光灯ソケット部の一対のピン穴の取付形態にかかわらず、回路基板７０に実装されたＬＥＤモジュール６０を所定の傾斜角度をもって配置することができるようになり、ＬＥＤモジュール６０からの光の出射方向を照射したい方向に一致させることができる。
【００３１】
［第２の実施の形態］
図４を参照すると、図１及び図２に示したＬＥＤ照明灯１が自動販売機のインバータ式の蛍光灯器具に取り付けられた場合の点灯回路の一構成例が模式的に示されている。なお、図４において、上記ＬＥＤ照明灯１の構成部品と実質的に同じ部材には同一の部材名と符号を付している。従って、上記第１の実施の形態と実質的に同じ部材に関する詳細な説明は省略する。
【００３２】
（点灯回路の構成）
図４において、符号８０は自動販売機におけるインバータ式照明装置の構成をブロック的に示している。符号８１は図示しないスイッチング素子をオン・オフ制御して直流電源電圧を高周波電圧に変換するインバータを示している。ＬＥＤ照明灯１の第１及び第２の口金２０，３０は、端子ピン２１，２２，３１，３２をインバータ式照明装置８０の蛍光灯ソケット部の一対のピン穴に差し込むことでインバータ式照明装置８０に固定されるとともに、インバータ式照明装置８０の蛍光灯ソケット部を介して自動販売機のインバータ８１と接続されている。そのインバータ８１は、共振コイルＬ３と共振コンデンサＣ３とから導出される５０ＫＨｚの周波数の共振回路によりＬＣ共振させ、ＬＥＤ照明灯１の第１及び第２の回路基板（以下、第１及び第２の点灯回路ともいう。）７１，７２に５０ＫＨｚの高周波電力を供給する。
【００３３】
第１の点灯回路７１は、第１のコンデンサＣ１、第１及び第２のコイルＬ１，Ｌ２、及び第１の整流回路７５である整流ダイオード７５ａ〜７５ｄを有している。一方の第２の点灯回路７２は、第１及び第２のヒューズ７７ａ，７７ｂ、第２のコンデンサＣ２、及び第２の整流回路７６である整流ダイオード７６ａ１〜７６ｄを有している。一対の整流回路７５，７６のそれぞれは、インバータ８１から入力される交流電圧を全波整流して直流電圧に変換する。この直流電圧は第１及び第２の整流回路７５，７６の出力端子を通じてＬＥＤモジュール６０へと印加される。
【００３４】
第１の口金２０の端子ピン２１，２２間は、第１のコンデンサＣ１により接続されている。第１のコンデンサＣ１の両端には第１及び第２のコイルＬ１，Ｌ２を通じて第１の整流回路７５の整流ダイオード７５ａ及び７５ｃの入力側端子が接続されている。一方、第２の口金３０の端子ピン３１，３２間には第１及び第２のヒューズ７７ａ，７７ｂを通じて第２のコンデンサＣ２が接続されている。第２のコンデンサＣ２の両端には第２の整流回路７６の整流ダイオード７６ａ及び７６ｄの入力側端子が接続されている。
【００３５】
第１の整流回路７５の整流ダイオード７５ａ，７５ｃの出力側端子はＬＥＤ素子６１のアノード側端子に接続されている。ＬＥＤ素子６１のカソード側端子は第２の整流回路７６の整流ダイオード７６ａ，７６ｃの出力側端子に接続されている。一方、第２の整流回路７６の整流ダイオード７６ｂ，７６ｄの出力側端子はＬＥＤ素子６１のアノード側端子と接続されている。ＬＥＤ素子６１のカソード側端子は第１の整流回路７５の整流ダイオード７５ｂ，７５ｃの出力側端子と接続されている。第１の整流回路７５及び第２の整流回路７６の出力側端子は相互接続されている。第１の整流回路７５及び第２の整流回路７６の入力側端子も相互接続されている。
【００３６】
ＬＥＤ照明灯１に適用される共振回路においては、共振コンデンサＣ３は第１のコンデンサＣ１及び第２のコンデンサＣ２のそれぞれに直列接続されている。第１のコイルＬ１及び第２のコイルＬ２のそれぞれはＬＥＤモジュール６０に直列接続されており、５０ＫＨｚの高い周波数を有するインバータ出力であり、エネルギー損失を少なくするとともに、コイルＬ１，Ｌ２を小さくしている。
【００３７】
以上のごとく構成された点灯回路を有するＬＥＤ照明灯１においては、第１の口金２０の端子ピン２１から第２の口金３０の端子ピン３１間、第２の口金３０の端子ピン３１から第１の口金２０の端子ピン２１間、第１の口金２０の端子ピン２２から第２の口金３０の端子ピン３２間、あるいは第２の口金３０の端子ピン３２から第１の口金２０の端子ピン２２間にインバータ８１からの高周波電力を正常に供給することができる。更には、第１の口金２０の端子ピン２１から第２の口金３０の端子ピン３２間、あるいは第２の口金３０の端子ピン３１から第１の口金２０の端子ピン２２間においても、インバータ８１からの高周波電力を正常に供給することができることは勿論である。ＬＥＤ照明灯１の取付方向及び取付回転方向などに影響されることはない。ＬＥＤ照明灯１を自動販売機用のインバータ８１を利用して既存のＬＥＤ照明灯１に取付けることができるようになり、正常に点灯することができる。
【００３８】
第１の口金２０の端子ピン２１から第２の口金３０の端子ピン３１間にインバータ８１からの高周波電力が供給される場合は、インバータ８１の正側のスイッチング素子がオンされると、電流は、共振コイルＬ３→端子ピン２１→第１のコイルＬ１→第１の整流回路７５の整流ダイオード７５ａ→ＬＥＤモジュール６０→第２の整流回路７６の整流ダイオード７６ａ→ヒューズ７７ａ→端子ピン３１を流れる。このとき、第１の口金２０の端子ピン２２及び第２の口金３０の端子ピン３２間に電流は流れない。第１のコンデンサＣ１及び共振コンデンサＣ３に流れる電流によりＬＥＤモジュール６０の電圧が決まり、ＬＥＤモジュール６０が点灯する。
【００３９】
第２の口金３０の端子ピン３１から第１の口金２０の端子ピン２１間にインバータ８１からの高周波電力が供給される場合は、インバータ８１の負側のスイッチング素子がオンされると、電流は、端子ピン３１→ヒューズ７７ａ→第２の整流回路７６の整流ダイオード７６ｂ→ＬＥＤモジュール６０→第１の整流回路７５の整流ダイオード７５ｂ→第１のコイルＬ１→端子ピン２１→共振コイルＬ３を流れる。このとき、第１の口金２０の端子ピン２２及び第２の口金３０の端子ピン３２間に電流は流れない。第２のコンデンサＣ２及び共振コンデンサＣ３に流れる電流によりＬＥＤモジュール６０の電圧が決まり、ＬＥＤモジュール６０が点灯する。
【００４０】
なお、第１の口金２０の端子ピン２２及び第２の口金３０の端子ピン３２間、第１の口金２０の端子ピン２１及び第２の口金３０の端子ピン３２間、あるいは第２の口金３０の端子ピン３１及び第１の口金２０の端子ピン２２間にインバータ８１からの高周波電力が供給される場合においても、ＬＥＤモジュール６０を確実に点灯することができる。
【００４１】
第１のコンデンサＣ１又は第２のコンデンサＣ２に流れる電流によりＬＥＤモジュール６０の電圧を決定することができるので、共振コイルＬ３及び共振コンデンサＣ３の共振周波数による高周波電圧に応じて第１のコンデンサＣ１又は第２のコンデンサＣ２の容量を設定し、ＬＥＤ素子６１の必要な電圧に対して高周波電圧を所定の比によって増減することで、第１のコイルＬ１又は第２のコイルＬ２のそれぞれからＬＥＤモジュール６０に必要な高周波電圧を印加することができる。第１のコンデンサＣ１又は第２のコンデンサＣ２の容量は、ＬＥＤ素子６１の配置個数及び必要な電圧と、共振コイルＬ３及び共振コンデンサＣ３の共振周波数と、インバータ８１の高周波電圧とに基づいて適宜に設定すればよい。
【００４２】
この第２の実施の形態に係る点灯回路７１，７２によると、上記第１の実施の形態の効果に加えて、次の効果が得られる。
（１）自動販売機におけるインバータ式照明器具８０にＬＥＤ照明灯１を効果的に使用することができる。
（２）自動販売機用のインバータ８１を利用して、ＬＥＤ照明灯１の取付方向及び取付回転方向などに影響されることなく、ＬＥＤ照明灯１を正常に点灯することができる。
【００４３】
［第３の実施の形態］
図５〜図９を参照すると、上記第１の実施の形態であるＬＥＤ照明灯１を備えた自動販売機の一構成例が模式的に示されている。なお、図５〜図９において、上記第１の実施の形態と実質的に同じ部材には同一の部材名と符号を付している。従って、上記第１の実施の形態と実質的に同じ部材に関する詳細な説明は省略する。
【００４４】
（自動販売機の全体構成）
図５、図６及び図７Ａにおいて、符号１００は上記第１及び第２の実施の形態であるＬＥＤ照明灯１を備えた自動販売機を示している。この自動販売機１００は、缶飲料の販売用物品を販売するための販売機本体１０２と、販売用物品に対応する照明対象としての複数の展示用物品（容器）Ｂを照明するＬＥＤ照明灯１を含むインバータ式照明装置８０とにより主に構成されている。
【００４５】
複数の展示用物品Ｂは、図５及び図７Ａ（ｂ）に示すように、１０個の展示用物品Ｂが一列に並置された３群の展示用物品群ｂ１，ｂ２，ｂ３に区分して３段に配置されており、背面パネル１２２の物品視認者側にステージ１２５を介して所定の角度に保持されている。
【００４６】
展示用物品Ｂは、図７Ａ及び図７Ｂに示すように、販売用物品を示す情報が表面に印刷表示されたプラスチック製の光透過性部材からなる半円筒又は円筒によって形成されている。展示用物品Ｂとしては、半円筒又は円筒の表面に印刷表示する代わりに、その印刷表示内容と同一の情報が表示されたシールを貼付したものであってもよい。販売用物品が光透過性部材によって形成されている場合には展示用物品Ｂとして販売用物品を展示してもよい。
【００４７】
（販売機本体の構成）
販売機本体１０２は、図６に示すように、外装体としての筐体１０４と、この筐体（貯蔵部）１０４内に貯蔵する販売用物品を代金と引き換えに外部に払い出すための物品払出ユニット（物品払出機構）１０５と、この物品払出ユニット１０５及びインバータ式照明装置８０を駆動制御する制御ユニット１０６とを備えている。
【００４８】
（筐体の構成）
筐体１０４は、図５及び図６に示すように、前方に開口する箱体１０４Ａ及び箱体１０４Ａの前方開口部を開閉する扉体１０４Ｂを有し、全体が略矩形箱によって形成されている。
【００４９】
箱体１０４Ａ内には、インバータ式照明装置８０、物品払出ユニット１０５、及び制御ユニット１０６などを収容するための図示しない収容空間が形成されている。扉体１０４Ｂは箱体１０４Ａに回動自在に枢支されている。
【００５０】
扉体１０４Ｂの前面上部には、前面上部カバーとしての光透過性部材からなる前面パネル（電照板）１０７が配設されている。前面パネル１０７の前面部には、外部に露出する光透過性部材からなる物品選択用の押釦１０８が複数の展示用物品Ｂに対応して複数個配設されている。前面パネル１０７と背面パネル１２２との間には、展示用物品Ｂを展示するための展示スペース（内部空間）１０９が形成されている。
【００５１】
扉体１０４Ｂの前面下部には、購買者が販売用物品の代金としての紙幣・硬貨をそれぞれ挿入・投入するための紙幣挿入口１１２・硬貨投入口１１３と、釣銭を返却するための釣銭返却口１１４と、購買者が販売用物品を取り出すための図示しないフラッパ付きの物品取出口１１５とが配設されている。扉体１０４Ｂの前面下部には、紙幣挿入口１１２・硬貨投入口１１３に挿入・投入された紙幣・硬貨を購買者の操作によって返却するための返却レバー１１６と、釣銭切れや挿入紙幣・投入硬貨に関する情報を表示するＬＣＤ（Liquid Crystal Display）等の表示器１１７と、扉体１０４Ｂの開動作をロック状態とするためのドアロック１１８とが取り付けられている。なお、符号２００は、販売物品等の情報を宣伝するための広告スペースを示している。
【００５２】
（物品払出ユニットの構成）
物品払出ユニット１０５は、販売用物品を貯蔵する図示しない物品貯蔵部を有している。物品払出ユニット１０５は、図６に示すように、箱体１０４Ａの収容空間に複数個収容されており、制御ユニット１０６に接続されている。物品払出ユニット１０５は、紙幣挿入口１１２・硬貨投入口１１３に対する紙幣・硬貨の挿入・投入による代金と引き換えに販売用物品を払い出すように構成されている。
【００５３】
（制御ユニットの構成）
制御ユニット１０６は、挿入紙幣及び投入硬貨を処理して貨幣処理信号及び釣銭処理信号を発生する図示しない貨幣・釣銭処理装置を有している。制御ユニット１０６は、図６に示すように、物品払出ユニット１０５と同様に箱体１０４Ａの収容空間に収容されている。
【００５４】
（照明装置の構成）
背面パネル１２２は、図７Ａ（ｂ）に示すように、展示スペース１０９内の後方に前面パネル１０７と所定の間隔をもって平行に配置されている。背面パネル１２２にはインバータ式照明装置８０の蛍光灯ソケット部１２３が挟持固定されている。ＬＥＤ照明灯１は蛍光灯ソケット部１２３の図示しない一対のピン穴に差し込むことで展示スペース１０９内に配置されている。背面パネル１２２は、複数の展示用物品群ｂ１，ｂ２，ｂ３のそれぞれに対応した色、柄、及び形状を有している。背面パネル１２２の他の一例としては、展示用物品群ｂ１，ｂ２，ｂ３の全部又はその一部に対応した色、柄、及び形状を有していてもよい。
【００５５】
背面パネル１２２にはステージ１２５が取り付けられている。ステージ１２５は、板金からなり、展示用物品Ｂが所定の個数だけ並べて展示されるとともに、展示用物品Ｂに関する情報、例えば価格や温冷等を表示する表示部１２６を有している。
【００５６】
展示用物品が１０個に対応する仕様のＬＥＤ照明灯１は、図７Ａに示すように、１０個の展示用物品のそれぞれに対応した物品選択用の押釦１０８、及び価格や温冷等を表示する表示部１２６を照明する。回路基板７０の第１の面７１ａ，７２ａに実装されたＬＥＤモジュール６０は、自動販売機１００の前側上方向の展示用物品Ｂ、押釦１０８、及び表示部１２６の配置方向にＬＥＤ光が照射される。
【００５７】
一方、回路基板７０の第２の面７１ｂ，７２ｂに実装されたＬＥＤモジュール６０は、下側後方の背面パネル１２２の配置方向にＬＥＤ光が照射されるように設定されている。回路基板７０の取付角度θとしては、例えば自動販売機１００の水平面に対して２０〜４０度の範囲内にあることが好適である。図示例にあっては、回路基板７０の取付角度θは、前面パネル１０７、物品選択用の押釦１０８、価格や温冷等を表示する表示部１２６、及び背面パネル１２２等を効果的に照明するために、自動販売機１００の水平面に対して３０度に設定されている。なお、自動販売機１００に対して回路基板７０を水平に配置してもよい。
【００５８】
回路基板７０の第１の面７１ａ，７２ａに実装されたＬＥＤモジュール６０からのＬＥＤ光は、展示用物品Ｂに下方向から入射し、半円筒又は円筒形の展示用物品Ｂ（販売用物品を示す情報が表面に印刷表示された光透過性部材）を透過して展示用物品Ｂの前面部を照明するとともに、ステージ１２５に取り付けられた表示部１２６を背面側から照射する。前面パネル１０７に取り付けられた物品選択用の押釦１０８を透過して物品視認者側に照射され、押釦１０８の輪郭照明がなされる。
【００５９】
押釦１０８は、図７Ｂ（ｃ）に示したように、前面パネル１０７に取り付けられて釦部の基部となるベース１８１と、ベース１８１に取り付けられてスイッチ端子等の配線パターン等を有する基板１８２と、シリコンゴムで形成されたベース１８１に装着されるカバー１８３と、カバー１８３にネームプレート１８４を挟んで装着され、商品購入者が指先等で押すためのレンズ１８５と、レンズ１８５の内部に装着され、背面から入射する光を自動販売機１００の前面へ効果的に反射させるためのリフレクトケース１８６と、レンズ１８５の周辺に所定の隙間を介しベース１８１と嵌合して押釦１０８を構成するケース１８７とから構成されている。カバー１８３は、基板１８２のスイッチ端子に接触してスイッチオンさせる切片を備え、釦部が押されたときの復元力を発生させ、水密構造とするための半透明のシリコンゴムで形成されている。
【００６０】
ベース１８１、基板１８２、及びレンズ１８５は光透過性部材からなり、ネームプレート１８４及びケース１８７は不透過性部材からなるので、ベース１８１に入射したＬＥＤ光１９０は、レンズ１８５の周辺部１８５ａ、及びレンズ１８５とケース１８７との隙間１８８を主に透過して自動販売機１００の前面へと照射される。ベース１８１が、例えば緑色の光透過性材料で形成されている場合は、レンズ１８５の周辺部１８５ａと隙間１８８が緑色に輝き、いわゆる輪郭照明がなされる。
【００６１】
ＬＥＤ照明灯１は、自動販売機１００に対して傾斜して取り付けられているので、回路基板７０の第２の面７１ｂ，７２ｂに実装されたＬＥＤモジュール６０から後側下方向にＬＥＤ光が照射される。これにより、ＬＥＤ光の大部分が背面パネル１２２を照射することになるので、物品視認者側から最も明るいと認識できる背面パネル１２２を限られたＬＥＤ光で効果的に照明することができる。
【００６２】
図８を参照すると、回路基板７０の第１の面７１ａ，７２ａに実装されたＬＥＤ素子６１から前側上方向に照射されるＬＥＤ光の指向特性４００、及び回路基板７０の第２の面７１ｂ，７２ｂに実装されたＬＥＤ素子６１から後側下方向に照射されるＬＥＤ光のＬＥＤ指向特性４００がそれぞれ示されている。このＬＥＤ素子６１から図８に示す角度で照射されるＬＥＤ光は、矢印先端を通る同心円状の目盛りで相対照度が示される。
【００６３】
従来の蛍光灯は３６０度の全方向に光が照射されるのに対して、この第３の実施形態におけるＬＥＤ素子６１のＬＥＤ光は、ＬＥＤ指向特性４００を有するので、展示用物品Ｂの前面部分と背面パネル１２２とに向けて効率よくＬＥＤ光が照射されることとなる。ＬＥＤ照明灯１が自動販売機１００に対して傾斜して取付けられた場合は、より効率よく照明が可能となる。
【００６４】
図９を参照すると、図８に示す照射指向特性４００により照明した場合の自動販売機１００を正面からみた状態が示されている。ＬＥＤ照明灯１を傾斜配置して指向特性を有するＬＥＤ光により照明することで、展示用物品Ｂの照明部分（図８の斜線部分）４２０、背面パネル１２２の照明部分（図８の斜線部分）４２１、及び広告スペース２００の照明部分（図８の斜線部分）４２２が特に明るく照明される。
【００６５】
ＬＥＤ素子６１のＬＥＤ光は、ＬＥＤ指向特性４００を有するので、回路基板７０の第１の面７１ａ，７２ａ上に実装されるＬＥＤ素子６１は、回路基板７０の短手方向の中心からなるべく後方（背面パネル１２２方向）よりに配置される方が、効率よく展示用物品Ｂの前面部分を照明できる。回路基板７０の第１の面７１ａ，７２ａ上に実装されるＬＥＤ素子６１としては、例えば展示用物品Ｂの中心から約２２ｍｍ後方であって背面パネル１２２から約１５ｍｍの位置に配置されることが好適である。
【００６６】
一方の回路基板７０の第２の面７１ｂ，７２ｂ上に実装されるＬＥＤ素子６１は、回路基板７０の短手方向の中心からなるべく前方より（前面パネル１０７の方向）に配置される方が、効率よく背面パネル１２２を照明できる。回路基板７０の第２の面７１ｂ，７２ｂ上に実装されるＬＥＤ素子６１としては、特に限定するものではないが、例えば展示用物品Ｂの中心から約１２ｍｍ後方であって背面パネル１２２から約２５ｍｍの位置に配置されるのが好ましい。
【００６７】
ＬＥＤ照明灯１を含むインバータ式照明装置の動作においては、展示用物品群ｂ１，ｂ２，ｂ３のそれぞれに対応して、ＬＥＤ素子６１の照明光の色、及び強度等を異なるようにすることもできるが、時間とともに照明光の色、及び強度等が変化するように制御ユニット１０６でコントロールすることもできる。更には、展示用物品Ｂに対応するそれぞれのＬＥＤ素子６１の照明光の色、及び強度等を独立に制御することもできる。
【００６８】
（第３の実施の形態の効果）
この第３の実施の形態に係る自動販売機１００によると、上記第１及び第２の実施の形態の効果に加えて、次の効果が得られる。
（１）自動販売機１００によれば、ＬＥＤ照明灯１の照射面を自動販売機の内部で所定の傾斜角度θをもって取り付けているので、展示用物品Ｂの前面部分と背面パネル１２２を効率よく照明することが可能となる。従来の蛍光灯は３６０度の全方向に光が照射されるのに対して、ＬＥＤ光は指向特性を有するので、特に展示用物品Ｂの前面部分と背面パネル１２２に効率よくＬＥＤ光が照射されることとなり、効果的な自動販売機１００の照明が可能となる。
（２）展示用物品Ｂの展示個数、及び配列間隔等が異なる自動販売機１００にインバータ式照明装置８０を適用する場合は、ＬＥＤ照明灯１の照射面となるパイプ部材１０を分割して成形することなく、展示用物品Ｂに対応させて種々の横幅の自動販売機１００に対応することができる。その結果、ＬＥＤ照明灯１及びインバータ式照明装置８０を新たに設計したり、製作したりする必要がなくなり、設計開発期間の短縮、及び製造コストの低減等に大きく寄与することが可能となる。
（３）ＬＥＤ照明灯１を含むインバータ式照明装置８０によれば、展示用物品Ｂの一段分の展示個数に対応した一体的に構成された照明装置が得られる。そのＬＥＤ照明灯１を自動販売機１００におけるインバータ式照明装置８０の蛍光灯ソケット部１２３に簡単な取付け方法により自動販売機１００への組込みが可能であるので、自動販売機１００への組立性に優れるとともに、交換も容易であることからメンテナンス性にも優れるという効果を有することができる。
（４）ＬＥＤ照明灯１では、ＬＥＤ素子６１の配置個数を展示用物品Ｂの数に対応した構成となっているので、照明時に制御ユニット１０６により、照明光の色、及び強度等を変化させたり、点滅動作させたりすることができる。展示用物品群ｂ１，ｂ２，ｂ３のそれぞれに対応して照明コントロールができるので、物品視認者の視覚に訴えるイルミネーション効果を持たせることが可能となる。展示用物品Ｂを３個ないし４個を１ユニットとして交互に制御することもできるようになり、イルミネーション効果と省エネ効果が得られる。
（５）回路基板７０の第１の面７１ａ，７２ａ及び第２の面７１ｂ，７２ｂ上に実装されたＬＥＤ素子６１から照射されるＬＥＤ光により、展示用物品Ｂだけではなく、ステージ１２５に取り付けられた表示部１２６の照明、及び前面パネル１０７に取り付けられた物品選択用の押釦１０８の輪郭照明が可能となるので、押釦１０８及び表示部１２６に専用の照明装置が不要になり、コストの低廉化を図ることが可能となる。
【００６９】
以上の説明からも明らかなように、本発明は、上記各実施の形態及び図示例に限定されるものではなく、各請求項に記載した範囲内で様々に設計変更が可能である。本発明は、例えばたばこ等のパッケージ商品、缶又はペットボトル等に充填した飲料商品などの各種の自動販売機に効果的に使用することができる。
【符号の説明】
【００７０】
１                              ＬＥＤ照明灯
１０                            パイプ部材
１１                            凹部
２０，３０                      口金
２１，２２                      第１，２の端子ピン
２３，３３                      係止凸部
２４，３４，７４                リード線
３１，３２                      第３，４の端子ピン
４０，５０                      ジョイント部材
４１，５１                      当接リブ
４２，５２                      基端側筒部
４３，５３                      口金側筒部
４４，５４                      隔壁
４４ａ                          リード線挿通孔
４５，５５                      係止凹部
４６，５６                      ブラケット
４７，５７                      取付リブ
４８，５８                      嵌合切欠部
６０                            ＬＥＤモジュール
６１                            ＬＥＤ素子
７０                            回路基板
７１，７２                      第１，第２の回路基板
７１ａ，７２ａ                  第１の面
７１ｂ，７２ｂ                  第２の面
７３                            当接面部
７５，７６                      第１，第２の整流回路
７５ａ〜７５ｄ，７６ａ〜７６ｄ  整流ダイオード
７７ａ，７７ｂ                  第１，第２のヒューズ
８０                            インバータ式照明装置
８１                            インバータ
１００                          自動販売機
１０２                          販売機本体
１０４                          筐体
１０４Ａ                        箱体
１０４Ｂ                        扉体
１０５                          物品払出ユニット
１０６                          制御ユニット
１０７                          前面パネル
１０８                          押釦
１０９                          展示スペース
１１２                          紙幣挿入口
１１３                          硬貨投入口
１１４                          釣銭返却口
１１５                          物品取出口
１１６                          返却レバー
１１７                          表示器
１１８                          ドアロック
１２２                          背面パネル
１２３                          蛍光灯ソケット部
１２５                          ステージ
１２６                          表示部
１８１                          ベース
１８２                          基板
１８３                          カバー
１８４                          ネームプレート
１８５                          レンズ
１８５ａ                        周辺部
１８６                          リフレクトケース
１８７                          ケース
１８８                          隙間
１９０                          ＬＥＤ光
２００                          広告スペース
４００                          ＬＥＤ光の指向特性
４２０，４２１，４２２          照明部分
Ｂ                              展示用物品
ｂ１，ｂ２，ｂ３                展示用物品群
Ｃ１，Ｃ２                      第１，第２のコンデンサ
Ｃ３                            共振コンデンサ
Ｌ１，Ｌ２                      第１，第２のコイル
Ｌ３                            共振コイル
【図１】
2010211289.tif 000003
【図２Ａ】
2010211289.tif 000004
【図２Ｂ】
2010211289.tif 000005
【図３】
2010211289.tif 000006
【図４】
2010211289.tif 000007
【図５】
2010211289.tif 000008
【図６】
2010211289.tif 000009
【図７Ａ】
2010211289.tif 000010
【図７Ｂ】
2010211289.tif 000011
【図８】
2010211289.tif 000012
【図９】
2010211289.tif 000013